(57)【要約】  換気システム（１０）は、建物の中の空気質を示す第一の値、及び、建物の外の空気質を示す第二の値を取得する取得部（３５）と、取得された第一の値及び第二の値に基づいて、建物の外から建物の中への給気を行う給気機器（４０）を制御するための第一処理、及び、建物の窓の開閉に関する第二処理を行う制御部（３２）とを備える。
2020217616.tif 000002
【特許請求の範囲】
【請求項１】
建物の中の空気質を示す第一の値、及び、前記建物の外の空気質を示す第二の値を取得する取得部と、
取得された前記第一の値及び前記第二の値に基づいて、前記建物の外から前記建物の中への給気を行う給気機器を制御するための第一処理、及び、前記建物の窓の開閉に関する第二処理を行う制御部とを備える
換気システム。
【請求項２】
前記制御部は、前記第一の値及び前記第二の値のそれぞれと閾値との比較に基づいて前記第一処理及び前記第二処理を行い、
前記第一の値及び前記第二の値がいずれも前記閾値未満である場合、
前記第一処理は、前記給気機器を停止させるための制御信号を出力する処理であり、
前記第二処理は、前記窓を開けるための処理であり、
前記第一の値が前記閾値以上であり、かつ、前記第二の値が前記閾値未満である場合、
前記第一処理は、前記給気機器を動作させるための制御信号を出力する処理であり、
前記第二処理は、前記窓を開けるための処理であり、
前記第一の値にかかわらず、前記第二の値が前記閾値以上である場合、
前記第一処理は、前記給気機器を動作させるための制御信号を出力する処理であり、
前記第二処理は、前記窓を閉じるための処理である
請求項１に記載の換気システム。
【請求項３】
前記制御部は、前記第一の値及び前記第二の値のそれぞれと、第一閾値及び前記第一閾値よりも大きい第二閾値との比較に基づいて、前記第一処理及び前記第二処理を行い、
前記第一の値及び前記第二の値がいずれも前記第一閾値未満である場合、
前記第一処理は、前記給気機器を停止させるための制御信号を出力する処理であり、
前記第二処理は、前記窓を開けるための処理であり、
前記第一の値が前記第一閾値以上であり、かつ、前記第二の値が前記第一閾値未満である場合、及び、前記第一の値が前記第二閾値以上であり、かつ、前記第二の値が前記第一閾値以上前記第二閾値未満である場合、
前記第一処理は、前記給気機器を動作させるための制御信号を出力する処理であり、
前記第二処理は、前記窓を開けるための処理であり、
前記第一の値が前記第二閾値未満であり、かつ、前記第二の値が前記第一閾値以上前記第二閾値未満である場合、及び、前記第一の値にかかわらず、前記第二の値が前記第二閾値以上である場合、
前記第一処理は、前記給気機器を動作させるための制御信号を出力する処理であり、
前記第二処理は、前記窓を閉じるための処理である
請求項１に記載の換気システム。
【請求項４】
前記窓を開けるための処理は、前記窓を開けることを推奨する通知を前記建物内のユーザに行う処理であり、
前記窓を閉じるための処理は、前記窓を閉じることを推奨する通知を前記建物内のユーザに行う処理である
請求項２または３に記載の換気システム。
【請求項５】
前記通知は、前記ユーザが所持する携帯端末に画像が表示されることにより行われる
請求項４に記載の換気システム。
【請求項６】
前記窓を開けるための処理は、前記窓を開閉するための駆動装置に前記窓の開放を指示する駆動信号を出力する処理であり、
前記窓を閉じるための処理は、前記駆動装置に前記窓の閉鎖を指示する駆動信号を出力する処理である
請求項２〜４のいずれか１項に記載の換気システム。
【請求項７】
前記第一の値は、前記建物の中の空気質として、前記建物の中のＰＭ（Particulate Matter）濃度を示し、
前記第二の値は、前記建物の外の空気質として、前記建物の外のＰＭ濃度を示す
請求項１〜６のいずれか１項に記載の換気システム。
【請求項８】
コンピュータによって実行される換気方法であって、
建物の中の空気質を示す第一の値、及び、前記建物の外の空気質を示す第二の値を取得し、
取得された前記第一の値及び前記第二の値に基づいて、前記建物の外から前記建物の中への給気を行う給気機器を制御するための第一処理、及び、前記建物の窓の開閉に関する第二処理を行う
換気方法。
【請求項９】
請求項８に記載の換気方法をコンピュータに実行させるためのプログラム。
【発明の詳細な説明】
【技術分野】
【０００１】
本発明は、換気システム、及び、換気方法に関する。
【背景技術】
【０００２】
従来、室内の空気質を改善するための技術が提案されている。例えば、特許文献１には、屋外からの埃の流入を防止することが可能な建物の報知システムが開示されている。
【先行技術文献】
【特許文献】
【０００３】
【特許文献１】特開２０１８−０９６５４８号公報
【発明の概要】
【発明が解決しようとする課題】
【０００４】
本発明は、建物の中の空気質を効果的に改善することができる換気システム、及び、換気方法を提供する。
【課題を解決するための手段】
【０００５】
本発明の一態様に係る換気システムは、建物の中の空気質を示す第一の値、及び、前記建物の外の空気質を示す第二の値を取得する取得部と、取得された前記第一の値及び前記第二の値に基づいて、前記建物の外から前記建物の中への給気を行う給気機器を制御するための第一処理、及び、前記建物の窓の開閉に関する第二処理を行う制御部とを備える。【０００６】
本発明の一態様に係る換気方法は、コンピュータによって実行される換気方法であって、建物の中の空気質を示す第一の値、及び、前記建物の外の空気質を示す第二の値を取得し、取得された前記第一の値及び前記第二の値に基づいて、前記建物の外から前記建物の中への給気を行う給気機器を制御するための第一処理、及び、前記建物の窓の開閉に関する第二処理を行う。【０００７】
本発明の一態様に係るプログラムは、前記換気方法をコンピュータに実行させるためのプログラムである。
【発明の効果】
【０００８】
本発明の換気システムは、建物の中の空気質を効果的に改善することができる。
【図面の簡単な説明】
【０００９】
【図１】図１は、実施の形態に係る換気システムの機能構成を示すブロック図である。
【図２】図２は、実施の形態に係る換気システムの動作の概要を説明するための第一の図である。
【図３】図３は、実施の形態に係る換気システムの動作の概要を説明するための第二の図である。
【図４】図４は、実施の形態に係る換気システムの動作の概要を説明するための第三の図である。
【図５】図５は、実施の形態に係る換気システムの動作例１のフローチャートである。
【図６】図６は、動作例１における第一処理及び第二処理の具体的内容を示す図である。
【図７】図７は、動作例２における第一処理及び第二処理の具体的内容を示す図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
［構成］
まず、実施の形態に係る換気システムの構成について説明する。図１は、実施の形態に係る換気システムの機能構成を示すブロック図である。図２〜図４は、実施の形態に係る換気システムの動作の概要を説明するための図である。
【００１３】
換気システム１０は、住宅、オフィス、または、病院などの建物１１の中の空間（閉空間）の空気質（IAQ:Indoor Air Quality）を改善するためのシステムである。換気システム１０は、インドなどの新興国での使用を想定し、給気機器４０の制御に加えて、建物１１に設けられた窓１２の開閉を併用して建物１１の中の空気質の改善を図る。なお、ここでの窓１２は、広義の窓を意味し、例えば、建物１１の中と外をつなぐ通気口または開口部なども含まれる。
【００１４】
換気システム１０は、例えば、建物１１の中及び外の空気質の両方が比較的良いと考えられる場合には、給気機器４０を停止させるとともに、ユーザの携帯端末６０に窓１２を開けることを推奨する画像を表示させる（図２参照）。これにより、給気機器４０が停止されることにより建物１１における消費電力を抑制しつつ、建物１１の中の換気を行うことができる。
【００１５】
また、換気システム１０は、例えば、建物１１の中の空気質が比較的良くないと考えられる場合には、給気機器４０を動作させるとともに、ユーザの携帯端末６０に窓１２を開けることを推奨する画像を表示させる（図３参照）。これにより、建物１１の中の空気は、給気機器４０による給気によって窓１２から建物１１の外へ排出されるため、建物１１の中の空気を入れ替えて建物１１の中の空気質を改善することができる。
【００１６】
また、換気システム１０は、例えば、建物１１の外の空気質が比較的良くないと考えられる場合には、給気機器４０を動作させるとともに、ユーザの携帯端末６０に窓１２を閉めることを推奨する画像を表示させる（図４参照）。これにより、建物１１の外の空気は、給気機器４０が備えるエアフィルタ４１によって濾過された後に建物１１の中に入るため、建物１１の中の空気質が悪化することが抑制される。
【００１７】
図１に示されるように、換気システム１０は、具体的には、センサ部２０と、制御装置３０と、給気機器４０と、スピーカ装置５０と、携帯端末６０と、サーバ装置７０と、駆動装置８０とを備える。換気システム１０は、建物１１の中から建物１１の外への排気（言い換えれば、排気換気）を行う排気機器を備えていないが、備えていてもよい。
【００１８】
センサ部２０は、室内用センサ２１、及び、室外用センサ２２を含む。室内用センサ２１は、建物１１の中の空気質を計測し、計測結果として建物１１の中の空気質を示す第一の値（より具体的には、第一の値を含む情報）を出力する。室内用センサ２１は、制御装置３０と通信可能であり、第一の値を制御装置３０に送信することができる。室内用センサ２１は、例えば、ＰＭ（Particulate Matter、粒子状物質）濃度センサである。つまり、第一の値は、建物１１の中の空気質として、ＰＭの濃度を示す。
【００１９】
なお、第一の値は、その他の空気質を示してもよく、例えば、ＣＯ２の濃度、ＴＶＯＣ（Total Volatile Organic Compounds、総揮発性有機化合物）の濃度、ＮＯＸ（窒素酸化物）の濃度、ＳＯＸ（硫黄酸化物）の濃度、及び、Ｏ３（オゾン）の濃度、カビ数、または、ダスト数などを示してもよい。本実施の形態では、空気質には、温度及び湿度は含まれないが、含まれてもよい。
【００２０】
室外用センサ２２は、上記建物１１の外における空気質を計測し、計測結果として建物１１の外の空気質を示す第二の値（より具体的には、第二の値を含む情報）を出力する。室外用センサ２２は、制御装置３０と通信可能であり、第二の値を制御装置３０に送信することができる。室外用センサ２２は、計測対象が建物１１の外の空気質であることを除いて、室内用センサ２１と同様の構成であり、具体的には、ＰＭ濃度センサである。
【００２１】
制御装置３０は、センサ部２０から、第一の値及び第二の値を取得し、取得された第一の値及び第二の値に基づいて、給気機器４０を制御するための第一処理、及び、建物１１の窓１２の開閉に関する第二処理を行う。制御装置３０は、具体的には、第一通信部３１と、制御部３２と、記憶部３３と、第二通信部３４とを備える。
【００２２】
第一通信部３１は、制御装置３０が、センサ部２０、給気機器４０、及び、スピーカ装置５０と局所通信ネットワークを介して通信を行うための通信モジュール（通信回路）である。第一通信部３１によって行われる通信は、有線通信であってもよいし、無線通信であってもよい。通信に用いられる通信規格についても、特に限定されない。第一通信部３１は、取得部３５を含む。
【００２３】
制御部３２は、上記第一処理及び上記第二処理を行う。制御部３２は、具体的には、プロセッサ、マイクロコンピュータ、または専用回路によって実現される。制御部３２は、プロセッサ、マイクロコンピュータ、または専用回路のうちの２つ以上の組み合わせによって実現されてもよい。
【００２４】
記憶部３３は、制御部３２が上記第一処理及び上記第二処理を行うために実行するコンピュータプログラムなどが記憶される記憶装置である。記憶部３３は、具体的には、半導体メモリなどによって実現される。
【００２５】
第二通信部３４は、制御装置３０がインターネットなどの広域通信ネットワーク９０を介してサーバ装置７０と通信を行うための通信モジュール（通信回路）である。第二通信部３４によって行われる通信は、無線通信であってもよいし、有線通信であってもよい。通信に用いられる通信規格についても特に限定されない。
【００２６】
給気機器４０は制御装置３０から受信した制御信号に基づいて、建物１１の外から建物１１の中への給気（言い換えれば、給気換気）を行う。給気機器４０は、例えば、送風機（ファン）によって実現される。給気機器４０は、例えば、建物１１の中の天井に取り付けられるが、壁に取り付けられてもよい。
【００２７】
なお、給気機器４０は、エアフィルタ４１を備える。エアフィルタ４１は、建物１１の中に給気される空気中のＰＭ、ＮＯＸ、ＳＯＸ、及び、Ｏ３の少なくとも１つの濃度を低下させる。給気機器４０は、具体的には、建物１１の外の空気を取り込んでエアフィルタ４１によって濾過して建物１１の中に放出する。エアフィルタ４１としては、例えば、ＨＥＰＡ（High Efficiency Particulate Air）フィルタなどが例示される。
【００２８】
スピーカ装置５０は、制御装置３０と通信が可能な機能を有するスピーカユニットである。スピーカ装置５０は、建物１１内に設置され、制御装置３０から受信した出音指示信号に基づいて出音する。
【００２９】
携帯端末６０は、建物１１の中に滞在するユーザが所持する情報端末であり、具体的には、スマートフォン、または、タブレット端末などである。携帯端末６０は、液晶パネルまたは有機ＥＬパネルなどによって実現される表示部６１を備える。
【００３０】
サーバ装置７０は、携帯端末６０を介した通知を行うために利用されるクラウドサーバである。
【００３１】
駆動装置８０は、建物１１に設けられた窓１２を開閉するための駆動装置である。駆動装置８０は、モータなどのアクチュエータによって実現される。
【００３２】
［動作例１］
次に、換気システム１０の動作例１について説明する。図５は、換気システム１０の動作例１のフローチャートである。
【００３３】
まず、制御装置３０の取得部３５は、センサ部２０の室内用センサ２１によって出力される、建物１１の中の空気質（具体的には、ＰＭ濃度など）を示す第一の値を取得（受信）する（Ｓ１１）。また、取得部３５は、室外用センサ２２によって出力される、建物１１の外の空気質（具体的には、ＰＭ濃度など）を示す第二の値を取得（受信）する（Ｓ１２）。
【００３４】
次に、制御部３２は、取得された第一の値及び第二の値に基づいて、建物１１の外から建物１１の中への給気を行う給気機器４０を制御するための第一処理、及び、建物１１の窓１２の開閉に関する第二処理を行う（Ｓ１３）。
【００３５】
第一処理において、制御部３２は、第一通信部３１を用いて、給気機器４０へ制御信号を出力する。これにより、給気機器４０は動作（オン）または停止（オフ）される。
【００３６】
第二処理において、第二通信部３４は、制御部３２の指示にしたがって、サーバ装置７０へ通知要求を送信する。通知要求を受信したサーバ装置７０は、広域通信ネットワーク９０を介して携帯端末６０へ通知指示を送信する。通知指示を受信した携帯端末６０の表示部６１には、ユーザに窓１２を開けることを推奨するための通知画像（図２及び図３参照）、または、ユーザに窓１２を閉めることを推奨するための通知画像（図４参照）が表示される。
【００３７】
ステップＳ１３において、制御部３２は、例えば、第一の値及び前記第二の値のそれぞれと閾値との比較に基づいて第一処理及び第二処理を行う。図６は、動作例１における第一処理及び第二処理の具体的内容を示す図である。なお、閾値は、経験的または実験的に適宜定められればよい。
【００３８】
例えば、第一の値及び第二の値がいずれも閾値未満である場合、建物１１の中の空気質、及び、建物１１の外の空気質のいずれも良好であると考えられる。そこで、制御部３２は、上記図２に示されるように、窓１２を通じた自然な換気を行う。制御部３２は、具体的には、第一処理として、給気機器４０を停止させるための制御信号を出力する。また、制御部３２は、第二処理として、窓１２を開けるための処理を行う。窓１２を開けるための処理は、具体的には、窓１２を開けることを推奨する通知を建物１１内のユーザに行う処理であり、ユーザが所持する携帯端末６０に画像が表示されることにより行われる。
【００３９】
また、第一の値が閾値以上であり、かつ、第二の値が閾値未満である場合、建物１１の中の空気質が建物１１の外の空気質よりも悪いと考えられる。
【００４０】
そこで、制御部３２は、上記図３に示されるように、建物１１の中の空気が積極的に建物１１の外へ排出されるように換気を行う。制御部３２は、具体的には、第一処理として、給気機器４０を動作させるための制御信号を出力する。また、制御部３２は、第二処理として、窓１２を開けるための処理を行う。窓１２を開けるための処理は、具体的には、窓１２を開けることを推奨する通知を建物１１内のユーザに行う処理であり、ユーザが所持する携帯端末６０に画像が表示されることにより行われる。
【００４１】
また、第一の値がどのような値であるかにかかわらず、第二の値が閾値以上である場合、建物１１の外の空気質が悪いため、建物１１の外の空気をそのまま建物１１の中に入れることは建物１１の中の空気質を悪化させる原因になると考えられる。
【００４２】
そこで、制御部３２は、上記図４に示されるように、窓１２を通じた換気を行わない。制御部３２は、具体的には、第一処理として、給気機器４０を動作させるための制御信号を出力する。また、制御部３２は、第二処理として、窓１２を閉じるための処理を行う。窓１２を閉じるための処理は、具体的には、窓１２を閉じることを推奨する通知を建物１１内のユーザに行う処理であり、ユーザが所持する携帯端末６０に画像が表示されることにより行われる。
【００４３】
以上説明したように、換気システム１０は、給気機器４０の動作及び停止（オン及びオフ）と、窓１２の開閉とを適切に組み合わせることで、建物１１の中の空気質を効果的に改善することができる。
【００４４】
［動作例２］
動作例２では、第一の値及び第二の値のそれぞれと、第一閾値及び第一閾値よりも大きい第二閾値との比較に基づいて、第一処理及び第二処理が行われる例について説明する。図７は、動作例２における第一処理及び第二処理の具体的内容を示す図である。なお、動作例２の全体の流れは、図５のフローチャートと同様である。なお、第一閾値及び第二閾値は、経験的または実験的に適宜定められればよい。
【００４５】
例えば、第一の値及び第二の値がいずれも第一閾値未満である場合、建物１１の中の空気質、及び、建物１１の外の空気質のいずれも良好であると考えられる。
【００４６】
このような場合、制御部３２は、上記図２に示されるように、窓１２を通じた自然な換気を行う。制御部３２は、具体的には、第一処理として、給気機器４０を停止させるための制御信号を出力する。また、制御部３２は、第二処理として、窓１２を開けることを推奨する通知を建物１１内のユーザに行う処理を行う。
【００４７】
また、第一の値が第一閾値以上であり、かつ、第二の値が第一閾値未満である場合、建物１１の中の空気質が建物１１の外の空気質よりも悪いと考えられる。第一の値が第二閾値以上であり、かつ、第二の値が第一閾値以上第二閾値未満である場合も同様である。
【００４８】
このような場合、制御部３２は、上記図３に示されるように、建物１１の中の空気が積極的に建物１１の外へ排出されるように換気を行う。制御部３２は、具体的には、第一処理として、給気機器４０を動作させるための制御信号を出力する。また、制御部３２は、第二処理として、窓１２を開けることを推奨する通知を建物１１内のユーザに行う処理を行う。
【００４９】
また、第一の値が第二閾値未満であり、かつ、第二の値が第一閾値以上第二閾値未満である場合、建物１１の外の空気質が悪いため、建物１１の外の空気をそのまま建物１１の中に入れることは建物１１の中の空気質を悪化させる原因になると考えられる。第一の値にかかわらず、第二の値が第二閾値以上である場合も同様である。
【００５０】
このような場合、制御部３２は、上記図４に示されるように、窓１２を通じた換気を行わない。制御部３２は、具体的には、第一処理として、給気機器４０を動作させるための制御信号を出力する。また、制御部３２は、第二処理として、窓１２を閉じることを推奨する通知を建物１１内のユーザに行う処理を行う。
【００５１】
以上説明したように、換気システム１０は、給気機器４０の動作及び停止（オン及びオフ）と、窓１２の開閉とを適切に組み合わせることで、建物１１の中の空気質を効果的に改善することができる。
【００５２】
［変形例１：スピーカ装置を用いた通知］
動作例１及び動作例２では、窓１２の開閉を推奨するための通知は、携帯端末６０に表示される画像によって行われたが、スピーカ装置５０から出力される音声によって行われてもよい。制御部３２は、第一通信部３１を介して、スピーカ装置５０に出音指示信号を出力することにより、窓１２を開けることを推奨する通知（スピーカ装置５０から出力される音声メッセージ）、及び、窓１２を閉じることを推奨する通知（スピーカ装置５０から出力される音声メッセージ）を実現することができる。
【００５３】
［変形例２：窓の開閉制御］
動作例１及び動作例２において、窓１２の開閉を推奨するための通知に代えて、窓１２の開閉の制御が行われてもよい。制御部３２は、第一通信部３１を介して、スピーカ装置５０に出音指示信号を出力することにより、窓１２の開閉を制御することができる。このように、上述の窓１２を開けるための処理は、窓１２を開閉するための駆動装置８０に窓１２の開放を指示する駆動信号を出力する処理であってもよい。同様に、上述の窓１２を閉じるための処理は、駆動装置８０に窓１２の閉鎖を指示する駆動信号を出力する処理である。
【００５４】
［変形例３：第二の値の取得経路］
建物１１の外の空気質を示す第二の値は、室外用センサ２２から取得されたが、第二の値は、建物１１の外の空気質を管理するサーバ装置（例えば、気象情報を管理するサーバ装置など。図１で図示せず。）から広域通信ネットワーク９０を介して提供されてもよい。この場合の、第二の値を取得する取得部は、第二通信部３４に含まれる。
【００５５】
［効果等］
以上説明したように、換気システム１０は、建物１１の中の空気質を示す第一の値、及び、建物１１の外の空気質を示す第二の値を取得する取得部３５と、取得された第一の値及び第二の値に基づいて、建物１１の外から建物１１の中への給気を行う給気機器４０を制御するための第一処理、及び、建物１１の窓１２の開閉に関する第二処理を行う制御部３２とを備える。
【００５６】
このような換気システム１０は、第一処理、及び、第二処理を適切に組み合わせることで、建物１１の中の空気質を効果的に改善することができる。
【００５７】
また、例えば、制御部３２は、第一の値及び第二の値のそれぞれと閾値との比較に基づいて第一処理及び第二処理を行う。第一の値及び第二の値がいずれも閾値未満である場合、第一処理は、給気機器４０を停止させるための制御信号を出力する処理であり、第二処理は、窓１２を開けるための処理である。第一の値が閾値以上であり、かつ、第二の値が閾値未満である場合、第一処理は、給気機器４０を動作させるための制御信号を出力する処理であり、第二処理は、窓１２を開けるための処理である。第一の値にかかわらず、第二の値が閾値以上である場合、第一処理は、給気機器４０を動作させるための制御信号を出力する処理であり、第二処理は、窓１２を閉じるための処理である。
【００５８】
このような換気システム１０は、給気機器４０の動作及び停止（オン及びオフ）と、窓１２の開閉との組み合わせにより、建物１１の中の空気質を効果的に改善することができる。
【００５９】
また、例えば、制御部３２は、第一の値及び第二の値のそれぞれと、第一閾値及び第一閾値よりも大きい第二閾値との比較に基づいて、第一処理及び第二処理を行う。第一の値及び第二の値がいずれも第一閾値未満である場合、第一処理は、給気機器４０を停止させるための制御信号を出力する処理であり、第二処理は、窓１２を開けるための処理である。第一の値が第一閾値以上であり、かつ、第二の値が第一閾値未満である場合、及び、第一の値が第二閾値以上であり、かつ、第二の値が第一閾値以上第二閾値未満である場合、第一処理は、給気機器４０を動作させるための制御信号を出力する処理であり、第二処理は、窓１２を開けるための処理である。第一の値が第二閾値未満であり、かつ、第二の値が第一閾値以上第二閾値未満である場合、及び、第一の値にかかわらず、第二の値が第二閾値以上である場合、第一処理は、給気機器４０を動作させるための制御信号を出力する処理であり、第二処理は、窓１２を閉じるための処理である。
【００６０】
このような換気システム１０は、給気機器４０の動作及び停止（オン及びオフ）と、窓１２の開閉との組み合わせにより、建物１１の中の空気質を効果的に改善することができる。
【００６１】
また、例えば、窓１２を開けるための処理は、窓１２を開けることを推奨する通知を建物１１内のユーザに行う処理であり、窓１２を閉じるための処理は、窓１２を閉じることを推奨する通知を建物１１内のユーザに行う処理である。
【００６２】
このような換気システム１０は、給気機器４０の制御と、窓１２の開閉を推奨する通知とを行うことにより、建物１１の中の空気質を効果的に改善することができる。
【００６３】
また、例えば、上記通知は、ユーザが所持する携帯端末６０に画像が表示されることにより行われる。
【００６４】
このような換気システム１０は、画像を携帯端末６０に表示することにより窓１２の開閉を推奨するための通知を行い、当該通知によって建物１１の中の空気質を効果的に改善することができる。
【００６５】
また、例えば、窓１２を開けるための処理は、窓１２を開閉するための駆動装置８０に窓１２の開放を指示する駆動信号を出力する処理であり、窓１２を閉じるための処理は、駆動装置８０に窓１２の閉鎖を指示する駆動信号を出力する処理である。
【００６６】
このような換気システム１０は、給気機器４０の制御と、窓１２の開閉制御とを行うことにより、建物１１の中の空気質を効果的に改善することができる。
【００６７】
また、例えば、第一の値は、建物１１の中の空気質として、建物１１の中のＰＭ濃度を示し、第二の値は、建物１１の外の空気質として、建物１１の外のＰＭ濃度を示す。
【００６８】
このような換気システム１０は、第一処理、及び、第二処理を適切に組み合わせることで、建物１１の中のＰＭ濃度を効果的に低下させることができる。
【００６９】
換気システム１０などのコンピュータによって実行される換気方法は、建物１１の中の空気質を示す第一の値、及び、建物１１の外の空気質を示す第二の値を取得し、取得された第一の値及び第二の値に基づいて、建物１１の外から建物１１の中への給気を行う給気機器４０を制御するための第一処理、及び、建物１１の窓１２の開閉に関する第二処理を行う。
【００７０】
このような換気方法は、第一処理、及び、第二処理を適切に組み合わせることで、建物１１の中の空気質を効果的に改善することができる。
【００７１】
（その他の実施の形態）
以上、実施の形態に係る換気システムについて説明したが、本発明は、上記実施の形態に限定されるものではない。
【００７２】
例えば、上記実施の形態では、携帯端末を用いた通知は、広域通信ネットワークを用いて行われたが、局所通信ネットワークを用いて行われてもよい。つまり、携帯端末を用いた通知は、サーバ装置を介さずに、制御装置及び携帯端末が直接通信をおこなうことによって実現されてもよい。
【００７３】
また、上記実施の形態では、換気システムは、複数の装置によって実現されたが、単一の装置として実現されてもよい。換気システムが複数の装置によって実現される場合、換気システムが備える各構成要素は、複数の装置にどのように振り分けられてもよい。
【００７４】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００７５】
また、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【００７６】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、上記実施の形態の制御装置（または、制御装置に相当するシステム）として実現されてもよい。また、本発明は、上記実施の形態の換気方法をコンピュータに実行させるためのプログラムとして実現されてもよいし、このようなプログラムが記憶された、コンピュータ読み取り可能な非一時的な記録媒体として実現されてもよい。
【００７７】
また、上記実施の形態において説明されたフローチャートにおける複数の処理の順序は一例である。複数の処理の順序は、変更されてもよいし、複数の処理は、並行して実行されてもよい。また、特定の処理部が実行する処理を別の処理部が実行してもよい。
【００７８】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００７９】
１０  換気システム
１１  建物
１２  窓
３２  制御部
３５  取得部
４０  給気機器
６０  携帯端末
８０  駆動装置
【図１】
2020217616.tif 000003
【図２】
2020217616.tif 000004
【図３】
2020217616.tif 000005
【図４】
2020217616.tif 000006
【図５】
2020217616.tif 000007
【図６】
2020217616.tif 000008
【図７】
2020217616.tif 000009
【国際調査報告】
2020217616.tif 000010
2020217616.tif 000011
2020217616.tif 000012
2020217616.tif 000013